(57)【要約】【課題】本発明は、非透明な部材に検出片を配設することにより、当該検出片の検出を確実にすることができる。【解決手段】本発明は、複数の図柄が表示され、透明な部材で形成された筒状部材３２と、筒状部材３２と係合するリールギア部とからなるリール３と、前記リール３を回転可能に軸支する軸支部７２０と、入力側ギヤ７２を介してリール３を回転させるステッピングモータ７０と、入力側ギヤ７２に配設され、非透明な部材で形成された検出片１１と、検出片１１をリール３の回転基準位置として検出する位置検出センサ１０とを備える。【選択図】      図７
2005006838.tif 000002
【特許請求の範囲】
【請求項１】
複数の図柄が表示され、透明な部材で形成されたリールの外周部と、該外周部と係合するリールギア部とからなるリールと、
前記リールを回転可能に軸支する軸支部と、
前記リールギア部を介して前記リールを回転させるモータと、
前記リールギア部に配設され、非透明な部材で形成された検出片と、
前記検出片を前記リールの回転基準位置として検出する位置検出手段と
を備えることを特徴とするリール駆動装置。
【請求項２】
前記検出片は、前記位置検出手段から出力された光を反射可能に形成されており、
前記位置検出手段は、前記検出片で反射された光を受光することにより、前記検出片を前記リールの回転基準位置として検出することを特徴とする請求項１に記載のリール駆動装置。
【請求項３】
前記検出片は、前記リールギア部と一体で形成されることを特徴とする請求項１又は請求項２のいずれかに記載のリール駆動装置。
【発明の詳細な説明】
【０００１】
【発明の属する技術分野】
本発明は、複数の図柄が表示されたリールと該リールを回転させるモータとを備え、リールの回転基準位置を検出する回胴式遊技機のリール駆動装置に関する。
【０００２】
【従来の技術】
従来より、回胴式遊技機（例えば、パチスロ遊技機）用のリール駆動装置は、リールの回転基準位置をリセットパルスとして出力するものであり、ステッピングモータ（例えば、モータの回転軸をリールの中心孔に直接嵌め込むことが可能な直動方式のモータ）に組み込まれている（例えば、特許文献１参照）。また、他のタイプのリール駆動装置は、ステッピングモータの外部に組み込まれており、リールの回転基準位置を特定するための検出片を検出することにより上記リセットパルスを出力するものがある。
【０００３】
【特許文献１】
特開平１０−７１２４０号公報（第４−５頁、第１図）
【０００４】
【発明が解決しようとする課題】
しかしながら、一般的なステッピングモータには上記リール駆動装置が予め組み込まれていないため、設計者は当該リール駆動装置をリールの周辺構造に組み込むことのできる設計をする必要がある。一方、リールに設けられた検出片を検出することによりリセットパルスを出力する上記リール駆動装置が存在する。このリール駆動装置がいわゆる透過型による回路構造である場合には、当該リール駆動装置は、リール駆動装置から出力されたセンサ光が検出片を透過したか否かを検出することにより、検出片を検出することができる。
【０００５】
ところが、リールに表示された図柄を透過可能な液晶表示装置がリールの前面に配設される場合には、リールの影が液晶表示装置に投影されることの無いように、リールは透明な部材で形成する必要がある。このため、当該検出片が透明な部材でリールと一体的に形成された場合には、リール駆動装置は、リール駆動装置から出力されたセンサ光が検出片を透過するため、検出片を適切に検出することができない。これにより、透明な部材で形成されていない非透明な部材に上記検出片を配設することのできる構造の開発が望まれていた。
【０００６】
そこで、本発明は以上の点に鑑みてなされたものであり、非透明な部材に上記検出片を配設することにより、当該検出片の検出を確実にすることのできるリール駆動装置を提供することを課題とする。
【０００７】
【課題を解決するための手段】
本願に係る発明は、上記課題を解決するために、複数の図柄が表示され、透明な部材で形成されたリールの外周部（例えば、筒状部材３２）と、外周部と係合するリールギア部（例えば、従動ギア）とからなるリール（例えば、リール３Ｌ，３Ｃ，３Ｒ）と、リールを回転可能に軸支する軸支部（例えば、軸支部７２０）と、リールギア部を介してリールを回転させるモータ（例えば、ステッピングモータ７０Ｌ，７０Ｃ，７０Ｒ）と、リールギア部に配設された非透明な部材で形成された検出片（例えば、検出片１１）と、検出片をリールの回転基準位置として検出する位置検出手段（例えば、位置検出センサ１０）とを備えることを特徴とする。
【０００８】
上記発明においては、検出片は、位置検出手段から出力された光を反射可能に形成されており、位置検出手段は、検出片で反射された光を受光することにより、検出片をリールの回転基準位置として検出することが好ましい。また、検出片は、リールギア部と一体で形成されることが好ましい。
【０００９】
このような本発明によれば、検出片が、透明な部材で形成されたリールの筒状部材に配設されるのではなく、非透明な部材で形成されたリールギア部に配設されるため、リール駆動装置は、当該検出片の検出を確実にすることができる。すなわち、リール駆動装置は、リールの回転位置が所要の位置になったときには、リール駆動装置から出力された光が非透明な部材で形成された検出片により確実に遮られるため、当該検出片を確実に検出することができる。
【００１０】
【発明の実施の形態】
（モータ駆動装置の基本構成）
本実施形態に係るモータ駆動装置について図面を参照しながら説明する。図１は、本実施形態に係る遊技機１の外観図である。
【００１１】
図１に示すように、遊技機１の全体を形成しているキャビネットの正面には、３個のパネル表示窓５Ｌ，５Ｃ，５Ｒが形成されている。リールユニットを形成するリール３Ｌ，３Ｃ，３Ｒは、これらのパネル表示窓５Ｌ，５Ｃ，５Ｒを通じて視認される。また、パネル表示窓５Ｌ，５Ｃ，５Ｒには、横方向に３本及び斜め方向に２本の入賞ライン６が記されており、投入口７から投入されるコインの枚数に応じて有効化される入賞ライン６の本数が決定される。
【００１２】
遊技者が投入口７にコインを投入し、スタートレバー９を操作することにより、各リール３Ｌ，３Ｃ，３Ｒは回転を開始する。そして、各リール３Ｌ，３Ｃ，３Ｒに対応して設けられた停止ボタン４Ｌ，４Ｃ，４Ｒを遊技者が押すことにより、各リール３Ｌ，３Ｃ，３Ｒの回転は停止する。この回転停止時に各パネル表示窓５Ｌ，５Ｃ，５Ｒを通じて視認される各リール３Ｌ，３Ｃ，３Ｒのシンボルの組合せにより、入賞態様が決定され、入賞時には当該入賞態様に応じた枚数のコイン数がトレイ８に払い出される。
【００１３】
図２は、各パネル表示窓５Ｌ，５Ｃ，５Ｒの内部に設けられたリールユニットの構成を示す斜視図である。図２に示すように、リールユニットは、３枚の取付板８０Ｌ，８０Ｃ，８０Ｒと、この各取付板８０Ｌ，８０Ｃ，８０Ｒの内側に配置された３個のリール３Ｌ，３Ｃ，３Ｒと、リール３Ｌ，３Ｃ，３Ｒを個々に回転駆動する３個のステッピングモータ７０Ｌ，７０Ｃ，７０Ｒとを具備する。ステッピングモータ７０Ｌ，７０Ｃ，７０Ｒは、駆動ギヤ７１が入力側ギヤ７２と噛合することによりリール３を回転させるものである。
【００１４】
なお、以下では、説明の都合上、３個のリール３Ｌ，３Ｃ，３Ｒと、３枚の取付板８０Ｌ，８０Ｃ，８０Ｒと、３個のステッピングモータ７０Ｌ，７０Ｃ，７０Ｒとのうち、右側にあるリール３Ｌ（リール３）、取付板８０Ｌ（取付板８０）、ステッピングモータ７０Ｌ（ステッピングモータ７０）に限定して説明するが、特に断りのない限り他の各リール３Ｃ，３Ｒ、各取付板８０Ｃ，８０Ｒ、各ステッピングモータ７０Ｃ，７０Ｒについても同様の構成となっている。
【００１５】
図３は、リール３の右側面を示す図である。図３に示すように、リール３は、透明な部材で形成されており、リール３の中心が取付板８０の面から鉛直方向にに延びたリールポスト７６に回転可能に軸支されている。このリール３は、図３に示すように、その中心から放射状に延びた６本のアーム３１と、各アーム３１の延長方向の先端がわたるように一体的に形成された筒状部材３２（外周部）とから構成されている。
【００１６】
筒状部材３２の側周縁には、本実施形態では、一定のピッチでシンボルマーク３３が合計で２１個印刷されている。また、筒状部材３２の外周表面にはシンボルシート（図示せず）が貼られている。このシンボルシートは、シンボルマーク３３に、表示された図柄の中央が位置するように、接着などの方法で筒状部材３２の外周表面に貼られている。なお、図３に示す位置検出センサ１０及び検出片１１については後述で詳述する。
【００１７】
ステッピングモータ７０の駆動軸とリール３の回転軸との間には、図３に示すように、減速伝達機構７００が配設されている。この減速伝達機構７００は、ステッピングモータ７０の回転を所定の減速比をもってリール３を回転させる回転軸に伝達するものである。
【００１８】
この減速伝達機構７００は、図３に示すように、ステッピングモータ７０の駆動側に設けられた出力側ギヤ７１と、この出力側ギヤ７１に接触するとともに、リール３の支持軸と同一の軸心となるようにリール３に配設された入力側ギヤ７２（リールギア部）との二つのギヤを備えている。この入力側ギヤ７２は、筒状部材３２と係合するような構成となっている。また、出力側ギヤ７１は、入力側ギヤ７２と噛合することによりステッピングモータ７０の回転をリール３に伝達する。
【００１９】
出力側ギヤ７１及び入力側ギヤ７２は、例えば平歯車が用いられる。本実施形態に係る入力側ギヤ７２の歯数は、出力側ギヤ７１の７倍に設定されている。したがって、減速伝達機構７００は、ステッピングモータ７０の回転数を１／７に減速してリール３に伝達するように構成されている。
【００２０】
なお、出力側ギヤ７１と入力側ギヤ７２との歯車の比（減速比）は、ステッピングモータ７０の１回転のステップ数と、リール３に表示した図柄の個数とステッピングモータ７０の１回転のステップ数から算出した最小公倍数との比から求めるのが望ましい。
【００２１】
図４は、リール３の回転軸の周辺部を示す斜視図である。図５（ａ）は、リール３を回転可能に軸支する軸支部７２０の構造を示す図である。図５（ｂ）は、取付板８０に取り付けられた軸支部７２０によりリール３を軸支する構造を示す断面図である。図６は、軸支部７２０によりリール３を軸支する構造を示す全体の断面図である。
【００２２】
図５（ａ）及び（ｂ）に示すように、軸支部７２０は、止め具材７３と、カラー７４ａ，７４ｂと、制振部材７５と、リールポスト７６とを備える。リールポスト７６には、入力側ギヤ７２を挿入して回転可能に軸支する回転軸支部７６ａと、リール３の位置を固定するための部材を挿入するための位置固定部７６ｂと、リールポスト７６の底面から取付板８０に向かって突出され、取付板８０の穴８１に挿嵌する突出部７６ｃと、ネジでリールポスト７６を取付板８０に固定するためのネジ穴７６ｄと、カラー７４ａ，７４ｂ，制振部材７５を介して入力側ギヤ７２を止め具材７３（例えば、ネジ）で抜き止めするための止め穴７６ｅとを備える。
【００２３】
制振部材７５は、メインＣＰＵ４０の停止制御により、リール３の回転時におけるブレーキ機能を果たすと共に、リール３の回転が停止する際に生ずるリール３の振動を減衰させるものである。この制振部材７５はバネ等が挙げられる。本実施形態に係る制振部材７５はバネ７５を用いるものとする。図５（ｂ）に示すように、入力側ギヤ７２が回転軸支部７６ａに挿入された後に、このバネ７５は、カラー７４ａ，７４ｂに挟み込まれた状態で位置固定部７６ｂに挿入される。
【００２４】
上記止め具材７３は、図５（ｂ）に示すように、位置固定部７６ｂに挿入されたカラー７４ａ，７４ｂ，バネ７５を抜止める。この止め具材７３で抜止められたバネ７５は、バネ７５が持つ反発力により、カラー７４ｂを介して入力側ギヤ７２を取付板８０の方向に押し付ける。このときに発生する摩擦力により、制振部材７５は、リール３の回転停止時に発生するリール３の振動を減衰させることができる。
【００２５】
図５及び図６に示すように、入力側ギヤ７２には、円板の両面から垂直方向に突出され、その垂直な軸に沿って回転軸支部７６ａが挿入可能な空洞を有する突出部７２ａ，７２ｂが一体的に設けられている。入力側ギヤ７２は、一方の突出部７２ｂを取付板８０に向けて回転軸支部７６ａに挿入される。他方の突出部７２ａは、リール３の中心部にある穴３４に圧入される。したがって、出力側ギヤ７１が回転することにより、リール３と入力側ギヤ７２とは、回転軸支部７６ａを中心として一体となって回転する。
【００２６】
検出片１１は、入力側ギヤ７２に配設され、非透明な部材で形成されたものである。本実施形態に係る検出片１１は、任意の色に着色可能な部材で形成され、入力側ギヤ７２と一体でモールド成型される部材である。この検出片１１は、位置検出センサ１０から出力されたセンサ光を反射可能に形成されている。具体的には、図６に示すように、検出片１１は、位置検出センサ１０により検出可能な位置に配設され、且つ入力側ギヤ７２を構成する円板の半径方向に沿う面に配設されている。
【００２７】
なお、非透明については、位置検出センサ１０から出力されるセンサ光を完全に遮断させる色彩に限られず、位置検出センサ１０から出力されたセンサ光が位置検出センサ１０で受光を感知できない程度に、当該センサ光を減衰可能にする色彩であればよい。
【００２８】
位置検出センサ１０は、検出片１１をリール３の回転基準位置として検出する位置検出手段である。図７は、位置検出センサ１０の構造を示す図である。図７に示すように、位置検出センサ１０には、発光部１０Ａと受光部１０Ｂとが備えられている。発光部１０Ａと受光部１０Ｂとは、それぞれが互いに向い合うような位置に配設されている。発光部１０Ａは、受光部１０Ｂに向けてセンサ光を出力するものである。受光部１０Ｂは、発光部１０Ａから出力されたセンサ光を受光するものである。
【００２９】
図７に示すように、リール３の回転により検出片１１が発光部１０Ａと受光部１０Ｂとの間に位置したときは、発光部１０Ａから出力されたセンサ光は、検出片１１により確実に遮られる。そして、受光部１０Ｂは、当該検出片１１によりセンサ光が遮られたことを検出し、検出した結果を検出信号としてメインＣＰＵ４０に出力する。この検出信号は、リール３の回転基準位置を示す信号となる。
【００３０】
なお、発光部１０Ａと受光部１０Ｂとが一体的に形成されており、受光部１０Ｂは、検出片１１で反射されたセンサ光を受光することにより、当該検出片１１をリール３の回転基準位置として検出し、検出した回転基準位置を検出信号としてメインＣＰＵ４０に出力してもよい。
【００３１】
図８は、リール駆動装置（例えば、リール３，モータ駆動回路２０，位置検出センサ１０，検出片１１，メインＣＰＵ４０）を含む遊技機１の電気的な構成を示すブロック図である。このリール駆動装置は、複数の図柄を表示したリール３の駆動源としてステッピングモータ７０を備え、リール３の回転基準位置を検出するものである。
【００３２】
図８に示すように、マイクロコンピュータには、制御、演算の主体であるメインＣＰＵ４０と、プログラムや固定データが格納されるプログラムＲＯＭ４０ｂと、データの読み書きに用いられる制御ＲＡＭ４０ａと、所定の乱数値を発生させる乱数発生器（図示せず）とが備えられている。
【００３３】
上記メインＣＰＵ４０には、バス６０を介して、スタートレバー９の操作を検知するスタートレバー９、停止ボタン４Ｌ，４Ｃ，４Ｒの操作を検知するリール停止信号回路１２、押しボタン操作により、クレジットされているメダルを賭けるためのＢＥＴスイッチ２ａ〜２ｃ等の各入力部や、モータ駆動回路２０、メダル払出部（図示せず）、遊技演出制御実行部５０等の各出力部が接続されている。
【００３４】
このメインＣＰＵ４０は、プログラムＲＯＭ４０ｂに格納されたプログラムに従って制御ＲＡＭ４０ａに対するデータの読み書きを行って、各入出力部の動作を一連に制御する他、スタートレバー９による操作を検出した後に乱数発生器から発生された乱数値を用いて抽選処理を実行する。遊技演出制御実行部５０は、メインＣＰＵ４０からのコマンドに基づいて、抽選処理に応じた演出を実行する。
【００３５】
また、リール３が回転されたときは、メインＣＰＵ４０は、ステッピングモータ７０に供給する駆動パルスの数を計数し、当該計数値を制御ＲＡＭ４０ａの所定エリアに書き込む。このメインＣＰＵ４０は、位置検出センサ１０から入力された検出信号に基づいて、制御ＲＡＭ４０ａに書き込まれた駆動パルスの計数値を“０”にする。これにより、制御ＲＡＭ４０ａ内には、一回転の範囲内における回転位置に対応した計数値（回転ピッチ）が、各リール３Ｌ，３Ｃ，３Ｒ毎に格納される。
【００３６】
さらに、メインＣＰＵ４０は、停止ボタン４Ｌ，４Ｃ，４Ｒによる停止操作が行われると、制御ＲＡＭ４０ａを参照して当該停止操作されたときのリール３の回転位置を特定する。メインＣＰＵ４０は、特定した回転位置に対応付けられた図柄組合せが内部的に当選された特定の当選役と一致するときは、当該図柄組合せを入賞ラインに引き込む停止制御を実行する。
【００３７】
一方、特定の当選役が内部的に当選していなければ、メインＣＰＵ４０は、停止ボタン４Ｌ，４Ｃ，４Ｒによる停止操作のタイミングが所定の入賞役とならないように、滑り処理（この処理は所定数の図柄を滑らせること）等をした後に停止制御を実行する。
【００３８】
（モータ駆動装置による作用及び効果）
このような本願に係る発明によれば、検出片１１が、透明な部材で形成されたリール３の筒状部材３２に配設されるのではなく、非透明な部材で形成された入力側ギヤ７２に配設されるため、位置検出センサ１０は、検出片１１の検出を確実にすることができる。すなわち、位置検出センサ１０は、リール３の回転位置が所要の位置になったときには、位置検出センサ１０から出力されたセンサ光が非透明な部材で形成された検出片１１により確実に遮られるため、検出片１１を確実に検出することができる。
【００３９】
なお、検出片１１は、モールド成型で一体的に形成するに限らず、金属で一体的に形成してもよく、また透明部材で形成した後にペイント・メッキを施してもよい。
【００４０】
【発明の効果】
以上説明したように本発明によれば、非透明な部材に上記検出片を配設することにより、当該検出片の検出を確実にすることができる。
【図面の簡単な説明】
【図１】本実施形態に係る遊技機の前面を示す斜視図である。
【図２】本実施形態におけるリールを斜め方向から見た構成を示す斜視図である。
【図３】本実施形態におけるリールの側面を示す図である。
【図４】本実施形態におけるリールの中心軸近傍の構造を示す図である。
【図５】本実施形態における軸支部の構造を示す図である。
【図６】本実施形態にける軸支部が取付板に取り付けられたときの構造を示す断面図である。
【図７】本実施形態にける位置検出センサの構造を示す図である。
【図８】本実施形態にける遊技機の内部構造を示す図である。
【符号の説明】
１…遊技機、２…ＢＥＴスイッチ、３…リール、４…停止ボタン、５…パネル表示窓、６…入賞ライン、７…投入口、８…トレイ、９…スタートレバー、１０…位置検出センサ、１１…検出片、１２…リール停止信号回路、２０…モータ駆動回路、３１…アーム、３２…筒状部材、３３…シンボルマーク、３４…穴、４０…メインＣＰＵ、４０ａ…制御ＲＡＭ、４０ｂ…プログラムＲＯＭ、５０…遊技演出制御実行部、６０…バス、７０…ステッピングモータ、７１…出力側ギヤ、７２…入力側ギヤ、７３…止め具材、７４…カラー、７５…バネ、７５…制振部材、７６…リールポスト、８０…取付板、８１…穴、７００…減速伝達機構、７２０…軸支部
【図１】
2005006838.tif 000003
【図２】
2005006838.tif 000004
【図３】
2005006838.tif 000005
【図４】
2005006838.tif 000006
【図５】
2005006838.tif 000007
【図６】
2005006838.tif 000008
【図７】
2005006838.tif 000009
【図８】
2005006838.tif 000010